(57)【要約】【課題】家具の移動作業を容易することができる脚端具および同脚端具を備えた家具を提供する。【解決手段】机１００は、脚部１１０を構成する足体１１２の先端部に脚端具２００を備えている。脚端具２００は、床面Ｇ上を転がるコロ２０１と、コロ２０１における床面Ｇに面する底面２０１ａを露出させた状態で覆うハウジング２１０とを備えて構成されている。ハウジング２１０は、床面Ｇを転動可能な状態のコロ２０１を支点として机１００を傾けた際に、この傾けた状態の机１００の重心Ｏがコロ２０１の鉛直方向に延びる鉛直線Ｌを超えない範囲内で床面Ｇに対して非接触状態から接触状態となって机１００の傾けの抵抗となるストッパ部２１４を備えている。【選択図】  図２
2020025701.tif 000002
【特許請求の範囲】
【請求項１】
家具を床面上で支持する脚部に取り付けられる脚端具であって、
前記床面上を転がるコロと、
前記コロにおける少なくとも前記床面に面する下面を露出させた状態で覆うハウジングとを備え、
前記ハウジングは、
前記床面を転動可能な状態の前記コロを支点として前記家具を傾けた際に、この傾けた状態の家具の重心が前記コロの鉛直方向に延びる鉛直線を超えない範囲内で前記床面に対して非接触状態から接触状態となって前記家具の傾けの抵抗となるストッパ部を備えることを特徴とする脚端具。
【請求項２】
請求項１に記載した脚端具において、
前記ストッパ部は、
前記床面との前記接触位置から前記コロの外表面よりも外側に張り出す曲面形状に形成されていることを特徴とする脚端具。
【請求項３】
請求項１または請求項２に記載した脚端具において、
前記ハウジングは、
前記コロに隣接して設けられて同コロの前記下面よりも下方に張り出して前記コロを前記床面から浮かせて前記家具を支持するベース部を備えることを特徴とする脚端具。
【請求項４】
請求項１ないし請求項３のうちのいずれか１つに記載した脚端具において、
前記コロは、
回転方向に直交する方向に延びる車軸を有しており、
前記ハウジングは、
前記家具における棒状に延びて形成された前記脚部の先端部に挿し込む脚挿し込み部と、
前記コロにおける前記車軸を支持しつつ前記脚部の先端部に前記車軸を押し付ける車軸押付け部とを備えることを特徴とする脚端具。
【請求項５】
棒状に延びる脚部を備えた家具であって、
請求項１ないし請求項３のうちのいずれか１つに記載した脚端具を備えることを特徴とする家具。
【請求項６】
棒状に延びる脚部を備えた家具であって、
請求項４に記載した脚端具を備え、
前記脚部は、前記コロの前記車軸を保持する凹状の車軸保持部を備えることを特徴とする家具。
【発明の詳細な説明】
【技術分野】
【０００１】
本発明は、机や棚などの家具の脚部に取り付けられる脚端具および同脚端具を備えた家具に関する。
【背景技術】
【０００２】
従来から、机の移動作業を容易するために机の脚部の下端部に床面上を転動するコロを備えた脚端具が設けられることがある。例えば、下記特許文献１には、床面上を転動するコロの一部を露出させた状態で有底で角型の筒状に形成した半硬質プラスチック材で覆われた角型キャップ（脚端具）が開示されている。
【先行技術文献】
【特許文献】
【０００３】
【特許文献１】特開２０１５−３９６００号公報
【０００４】
しかしながら、上記特許文献１に示された角型キャップからなる脚端具においては、脚端具が取り付けられた机を傾ける際に傾ける角度を大きく過ぎると机が傾倒方向の前側に倒れ易くなるとともにこの倒れによって脚端具のコロの転動が促されて増々机が倒れ易くなって机の移動作業が行ない難いという問題があった。
【０００５】
本発明は上記問題に対処するためなされたもので、その目的は、家具の移動作業を容易することができる脚端具および同脚端具を備えた家具を提供することにある。
【発明の概要】
【０００６】
上記目的を達成するため、本発明の特徴は、家具を床面上で支持する脚部に取り付けられる脚端具であって、床面上を転がるコロと、コロにおける少なくとも床面に面する下面を露出させた状態で覆うハウジングとを備え、ハウジングは、床面を転動可能な状態のコロを支点として家具を傾けた際に、この傾けた状態の家具の重心がコロの鉛直方向に延びる鉛直線を超えない範囲内で床面に対して非接触状態から接触状態となって家具の傾けの抵抗となるストッパ部を備えることにある。
【０００７】
このように構成した本発明の特徴によれば、脚端具は、床面に接地して転動可能な状態のコロを支点として家具を傾けた際に、この傾けた状態の家具の重心がコロの鉛直方向に延びる鉛直線を超えない範囲内で床面に対して非接触状態から接触状態となって家具の傾けの抵抗となるストッパ部を備えているため、家具の傾け過ぎによる転倒を防止することができ家具の移動作業を容易することができる。
【０００８】
また、本発明の他の特徴は、前記脚端具において、ストッパ部は、床面との接触位置からコロの外表面よりも外側に張り出す曲面形状に形成されていることにある。
【０００９】
このように構成した本発明の他の特徴によれば、脚端具は、ストッパ部が床面との接触位置からコロの外表面よりも外側に張り出す曲面形状に形成されているため、家具の傾けた際におけるストッパ部による抵抗が急に発生することおよびその反動が強く発生することを抑えることができる。また、本発明に係る脚端具によれば、家具を傾け過ぎた場合においてもストッパ部が床面上に乗り上げることでコロが床面上から離れるため、家具を傾け過ぎた場合にコロが床面上で回動して家具が倒れ易くなることを防止することができる。
【００１０】
また、本発明の他の特徴は、前記脚端具において、ハウジングは、コロに隣接して設けられて同コロの下面よりも下方に張り出してコロを床面から浮かせて家具を支持するベース部を備えることにある。
【００１１】
このように構成した本発明の他の特徴によれば、脚端具は、ハウジングにおけるコロに隣接した位置に同コロの下面よりも下方に張り出してコロを床面から浮かせて家具を支持するベース部を備えているため、家具の使用状態の姿勢においてコロが床面上を転動して家具の位置がずれることを防止することができる。
【００１２】
また、本発明の他の特徴は、前記脚端具において、コロは、回転方向に直交する方向に延びる車軸を有しており、ハウジングは、家具における棒状に延びて形成された脚部の先端部に挿し込む脚挿し込み部と、コロにおける車軸を支持しつつ脚部の先端部に車軸を押し付ける車軸押付け部とを備えることもある。
【００１３】
このように構成した本発明の他の特徴によれば、脚端具は、ハウジングに家具における棒状に延びて形成された脚部の先端部に挿し込む脚挿し込み部と、コロにおける車軸を支持しつつ脚部の先端部に車軸を押し付ける車軸押付け部とが設けられているため、家具を傾けた際における家具の荷重をコロが直接受けることができハウジングが損傷することを防止することができる。また、本発明に係る脚端具によれば、ハウジングに対してハウジングが家具の脚部から抜ける方向の力を受けた場合においても家具の荷重が加わった状態でハウジングとコロとが一体的に家具の脚部から抜けることが防止されるため、家具の脚部から抜けようとする際におけるハウジングおよび／またはコロの損傷を防止できるとともに、コロが家具の脚部から外れたことによって家具が不安定になることを防止することができる。
【００１４】
また、本発明は脚端具の発明として実施できるばかりでなく、この脚端具を備えた家具の発明としても実施できるものである。
【００１５】
具体的には、家具は、棒状に延びる脚部を備えた家具であって、請求項１ないし請求項３のうちのいずれか１つに記載した脚端具を備えるとよい。
【００１６】
また、この場合、棒状に延びる脚部を備えた家具であって、請求項４に記載した脚端具を備え、脚部は、コロの車軸を保持する凹状の車軸保持部を備えるとよい。これらによっても、上記脚端具と同様の作用効果を期待することができる。なお、これらの場合、家具としては、机または棚などで構成することができる。
【図面の簡単な説明】
【００１７】
【図１】本発明の一実施形態に係る脚端具を備えた机を斜め方向から見た外観構成の概略を示す斜視図である。
【図２】図１に示した机の外観構成の概略を示す側面図である。
【図３】足体の先端部に装着された脚端具の装着状態を示す要部拡大斜視図である。
【図４】図１に示す脚端具について足体の先端部側から見た内部構造の概略を示す斜視図である。
【図５】図１に示す脚端具について内部構造の概略を示す断面図である。
【図６】図１に示す脚端具について机の通常の使用状態（机の傾斜角度が０°）での状態を示す部分拡大側面図である。
【図７】図１に示す脚端具について図６に示す状態から机を傾斜させた状態（机の傾斜角度が５°）での状態を示す部分拡大側面図である。
【図８】図１に示す脚端具について図７に示す状態から机を傾斜させた状態（机の傾斜角度が２３°）での状態を示す部分拡大側面図である。
【発明を実施するための形態】
【００１８】
以下、本発明に係る脚端具およびこの脚端具を備えた家具の一実施形態について図面を参照しながら説明する。図１は、本発明の一実施形態に係る脚端具２００を備えた机１００を斜め方向から見た外観構成の概略を示す斜視図である。また、図２は、図１に示した机１００の外観構成の概略を示す側面図である。なお、本明細書において参照する各図は、本発明の理解を容易にするために一部の構成要素を誇張して表わすなど模式的に表していることがあるため、各構成要素間の寸法や比率などは異なっていることがある。この机１００は、小学校や中学校などの教育施設などにおいて児童や生徒が教室で図示しない椅子とともに使用する学習机である。また、脚端具２００は、机１００の脚部１１０に取り付けられて机１００の移動作業を容易するための部品である。
【００１９】
（机１００および脚端具２００の構成）
机１００は、主として、天板１０１および脚部１１０をそれぞれ備えている。天板１０１は、机１００の上面を構成する上面視で方形の部品であり、板状の木材を積層した平板状に構成されている。この天板１０１には、収納部１０２が設けられている。
【００２０】
収納部１０２は、天板１０１の下方に設けられて机１００の使用者の私物を収容する部分を構成する樹脂製の部品であり、平面視で長方形状の板状部分の３辺にそれぞれ上方に起立する壁体を形成して構成されている。この収納部１０２は、前記起立させた３辺を天板１０１の下面にボルト（図示せず）によって固定されている。また、収納部１０２には、Ｕ字支持部材１０３が設けられている。
【００２１】
Ｕ字支持部材１０３は、後述する２つの上側支持脚１１１を一体的に連結して天板１０１の下面に取り付けるための部品であり、鋼製のパイプ材を収納部１０２の外周形状に沿う形状に曲げた平面視で略Ｕ字状に形成されている。このＵ字支持部材１０３は、天板１０１の下面にボルト（図示せず）によって固定されている。
【００２２】
脚部１１０は、天板１０１を床面Ｇから所定の高さ位置に水平状態で支持するための部品であり、鋼製のパイプ材を連結して構成されている。具体的には、脚部１１０は、２つの上側支持脚１１１、２つの足体１１２、２つの下側支持脚１１４、１つの連結棒１１５および高さ調整具１１６をそれぞれ備えて構成されている。
【００２３】
２つの上側支持脚１１１は、天板１０１を後述する下側支持脚１１４上で支持する部品であり、垂直方向に延びる鋼製のパイプ材でそれぞれ構成されている。これらの上側支持脚１１１は、天板１０１の下面における左右方向の両端部分にＵ字支持部材１０３を介して互いに垂直方向に下垂した状態で取り付けられている。また、各上側支持脚１１１における互いに対向し合う各内側面には、高さ調整具１１６による天板１０１の高さ調整に使用される係合凹部１１１ａが各上側支持脚１１１の外表面から凹状に窪んだ形成で上下方向に沿って一直線上に複数形成されている。
【００２４】
２つの足体１１２は、机１００が設置される床面上に配置されて机１００の全体を支持する部品であり、机１００の前後方向に互いに平行に延びる２つのパイプ材で構成されている。これらの足体１１２における各両端部のうちの机１００の前方側の各先端部には、図３に示すように、車軸保持部１１２ａおよびコロ逃げ部１１２ｂがそれぞれ形成されているとともに、後述する脚端具２００における引掛け部２１１ｂが引っ掛けられる貫通孔が形成されている。
【００２５】
車軸保持部１１２ａは、後述するコロ２０１の車軸２０２を回転自在に保持する部分であり、各足体１１２の先端部から軸方向にＵ字状に切り欠かれて形成されている。この場合、車軸保持部１１２ａは、コロ２０１の車軸２０２の両端部をそれぞれ摺動自在に保持するように各足体１１２の先端部における円周上に２か所ずつ形成されている。また、車軸保持部１１２ａは、コロ２０１のローラ面における底面２０１ａを後述するコロ露出部２１１ｃから張り出させる位置で車軸を保持するように形成されている。そして、各足体１１２の各両端部には、脚端具１１３および脚端具２００がそれぞれ取り付けられている。
【００２６】
脚端具１１３および脚端具２００は、机１００の机としての使用状態において足体１１２が床面Ｇに接触する部分を構成する部品である。これらのうち、脚端具１１３は、２つの足体１１２における机１００の後方側の各先端部に挿し込まれて取り付けられる樹脂製の部品であり、一方が開口するとともに他方が閉塞する筒状部とこの筒状部から下方に張り出した張出部とを有して形成されている。なお、脚端具１１３は、本発明に係る脚端具ではなく、後述する脚端具２００が本発明に係る脚端具である。
【００２７】
２つの下側支持脚１１４は、各足体１１２上で上側支持脚１１１をそれぞれ支持する部品であり、各足体１１２から互いに平行に起立する２つのパイプ材で構成されている。これらの各下側支持脚１１４には、前記上側支持脚１１１が高さ調整具１１６を介して挿し込まれており互いに連結さている。連結棒１１５は、２つの下側支持脚１１４を互いに連結して２つの足体１１２を一体化するための部品であり、パイプ材で構成されている。
【００２８】
高さ調整具１１６は、天板１０１の上下方向の位置を変更するための部品であり、樹脂材を円筒状に形成して構成されている。この高さ調整具１１６は、下側支持脚１１４における上側支持脚１１１が挿し込まれた部分を覆うように設けられており、軸方向周りに回転操作することによって係合凹部１１１ａへの突起体（図示せず）の係合状態が外れて上側支持脚１１１の下側支持脚１１４に対する連結位置を変更することができる。すなわち、高さ調整具１１６は、係合凹部１１１ａの突起体の係合位置に応じた高さ位置に天板１０１を配置することができる。
【００２９】
脚端具２００は、図３〜図５にそれぞれ示すように、２つの足体１１２における机１００の前方側の各先端部に挿し込まれて取り付けられる部品であり、主として、コロ２０１およびハウジング２１０をそれぞれ備えて構成されている。
【００３０】
コロ２０１は、机１００を移動させる際に机１００が設置された床面Ｇ上を転がって机１００を容易に移動させるための部品であり、ナイロン樹脂などの樹脂材を円筒面を有する車輪状に形成して構成されている。このコロ２０１には、車軸２０２が設けられている。車軸２０２は、コロ２０１をハウジング２１０および足体１１２の各内部で回転自在に支持するための部品であり、金属製の丸棒体で構成されている。この車軸２０２は、コロ２０１の軸芯部分を回転摺動自在な状態で貫通している。なお、図５においては、コロ２０１および車軸２０２をそれぞれ二点鎖線で示している。
【００３１】
ハウジング２１０は、コロ２０１を収容しつつ足体１１２の先端部に挿し込まれる部品であり、ポリエチレン樹脂などの樹脂材を足体１１２の軸方向に延びる筒状に形成して構成されている。この場合、ハウジング２１０は、本実施形態においては、左右対称に形成されている。このハウジング２１０は、脚挿し込み部２１１、車軸押付け部２１３、ストッパ部２１４、ベース部２１５をそれぞれ備えて構成されている。
【００３２】
脚挿し込み部２１１は、コロ２０１を収容しつつ足体１１２の先端部が挿し込まれる部分であり、ハウジング２１０の内周面によって構成されている。この脚挿し込み部２１１には、ハウジング２１０の長手方向における一方の端部に挿し込み口２１１ａが形成されるとともに他方の端部にコロ露出部２１１ｃが形成されている。
【００３３】
挿し込み口２１１ａは、足体１１２の先端部が挿し込まれる開口部であり、足体１１２の先端部が嵌合する内径に形成されている。この挿し込み口２１１ａの近傍には、挿し込まれた足体１１２の先端部に嵌合して足体１１２からの抜けを防止する鉤状の引掛け部２１１ｂが脚挿し込み部２１１の上下２か所にそれぞれ形成されている。
【００３４】
コロ露出部２１１ｃは、脚挿し込み部２１１内に収容されるコロ２０１のローラ面の一部を外部に露出するための開口部であり、コロ２０１のローラ面における底面２０１ａから側面２０１ｂまでの範囲を露出させる大きさで開口している。この場合、コロ２０１のローラ面の側面２０１ｂとは、脚挿し込み部２１１内に収容されたコロ２０１における挿し込み口２１１ａとは反対側の面であって机１００の前方側に面する面である。また、コロ露出部２１１ｃは、コロ２０１の底面２０１ａを下方に突出した状態で露出させるとともに、コロ２０１の側面２０１ｂを内側に収容した状態で露出させている。
【００３５】
この脚挿し込み部２１１の内部には、脚部嵌合部２１２および車軸押付け部２１３がそれぞれ形成されている。脚部嵌合部２１２は、脚挿し込み部２１１内に挿し込まれた足体１１２の先端部の内径に嵌合する部分であり、脚挿し込み部２１１内の左右の両側に脚挿し込み部２１１の内周面に沿う曲面を有した半月状に形成されている。これにより、足体１１２の先端部は、脚挿し込み部２１１の内周面と脚部嵌合部２１２の外周面との間の空間に挿し込まれて両者で挟まれた状態で嵌合する。
【００３６】
車軸押付け部２１３は、コロ２０１の車軸２０２を回転自在な状態で支持しつつ脚挿し込み部２１１内に挿し込まれた足体１１２の車軸保持部１１２ａに車軸２０２を押し付ける部分であり、挿し込み口２１１ａ側からコロ露出部２１１ｃ側に向かってＵ字状に形成されている。この場合、車軸押付け部２１３は、脚挿し込み部２１１内に挿し込まれる足体１１２の先端部の内部において車軸２０２を車軸保持部１１２ａに押し付ける深さで形成されるとともにコロ２０１の車軸２０２の両端部分をそれぞれ摺動自在に保持するように脚挿し込み部２１１内の左右両側にそれぞれ形成されている。また、車軸押付け部２１３は、コロ２０１のローラ面における底面２０１ａをコロ露出部２１１ｃから張り出させる位置で車軸２０２を保持するように形成されている。
【００３７】
ストッパ部２１４は、図６〜図８にそれぞれ示すように、コロ２０１を支点として机１００を傾けた際に、この傾けた状態の机１００の重心Ｏがコロ２０１の鉛直方向に延びる鉛直線Ｌを超えない範囲内で床面Ｇに対して非接触状態から接触状態となって机１００の傾けの抵抗となる部分である。このストッパ部２１４は、ハウジング２１０におけるコロ２０１の側面２０１ｂの左右方向両側部分に側面２０１ｂよりも張り出した曲面状に形成されている。なお、図６および図７においては、机１００の重心Ｏは、鉛直線Ｌから図示右側の遠い位置に位置しているため図示していない。また、図８においては、机１００の重心Ｏは、足体１１２の上方の空間の一部を省略して示している。
【００３８】
この場合、ストッパ部２１４は、最下部がコロ２０１の底面２０１ａよりも上方に直線状に形成されて底面２０１ａが露出するように形成されている。すなわち、ストッパ部２１４は、机１００が傾倒した際に机１００の重心Ｏがコロ２０１の回転中心を貫く鉛直線Ｌを超えない範囲内で床面Ｇに接触するようにコロ２０１よりも張り出すとともに、この接触する部分から曲面状に延びて形成されている。
【００３９】
本実施形態においては、ストッパ部２１４は、床面Ｇが水平面である場合において同水平面に対して机１００を２３°だけ傾けた際に床面Ｇに接触するように形成されている。に設定されている。なお、このストッパ部２１４を規定する机１００の傾倒角度は、机１００の構成によって適宜設定されることは当然である。
【００４０】
ベース部２１５は、机１００の机としての使用状態において足体１１２が床面Ｇに接触する部分であり、ハウジング２１０の下部部分に下方に張り出した台状に形成されている。この場合、ベース部２１５は、コロ露出部２１１ｃから突出するコロ２０１の底面２０１ａが床面Ｇから浮いた状態でかつ机１００をコロ２０１の回転中心を支点として傾けた際にコロ２０１の外表面を床面Ｇに接触させる厚さに形成される。
【００４１】
本実施形態においては、ベース部２１５は、床面Ｇが水平面である場合において同水平面に対して机１００を５°だけ傾けた際に床面Ｇに接触するように形成されている。また、ベース部２１５は、底面の中央部が上方側に凹状に凹んで形成されているとともに、その中央部の周囲が方形枠状に下方に張り出した形状に形成されている。なお、ベース部２１５の底面における前記中央部の窪んだ部分にフェルトなどお緩衝部材を設けることもできる。
【００４２】
（脚端具２００の机１００への組付け）
次に、このように構成された脚端具２００の机１００への組み付け作業について説明する。まず、作業者は、１つの机１００に対して２つのコロ２０１および２つのハウジング２１０をそれぞれ用意する。この場合、机１００の各足体１１２における後方側の先端部には、脚端具１１３がそれぞれ嵌め込まれている。また、コロ２０１は、射出成形によって成形されて車軸２０２が嵌合している。また、ハウジング２１０は、射出成形によって成形されている。
【００４３】
次に作業者は、コロ２０１をハウジング２１０に組み付ける。具体的には、作業者は、ハウジング２１０における挿し込み口２１１ａを介して脚挿し込み部２１１内にコロ２０１を挿入するとともに、脚挿し込み部２１１内の車軸押付け部２１３に車軸２０２を組付ける。これにより、ハウジング２１０のコロ露出部２１１ｃからコロ２０１が露出した状態で組み付けられて脚端具２００が完成する。
【００４４】
次に、作業者は、脚端具２００を机１００の足体１１２に組み付ける。具体的には、作業者は、脚端具２００の挿し込み口２１１ａを介して脚挿し込み部２１１内に机１００における前方側の足体１１２の先端部を挿し込む。これにより、足体１１２の先端部は、脚挿し込み部２１１の内周面と脚部嵌合部２１２の外周面との間の空間に挿し込まれて両者で挟まれた状態で嵌合する。
【００４５】
この場合、足体１１２の先端部に形成された車軸保持部１１２ａには、脚端具２００の車軸押付け部２１３に保持されたコロ２０１の車軸２０２が配置されるとともに、この車軸２０２が車軸押付け部２１３によって車軸保持部１１２ａに押し付けられる。これにより、コロ２０１は、車軸２０２が脚端具２００の車軸押付け部２１３と足体１１２の車軸保持部１１２ａとで挟まれた状態で保持される。また、コロ２０１は、足体１１２の先端部に面する部分の一部が同先端部に形成されたコロ逃げ部１１２ｂ内に位置する。そして、脚端具２００は、引掛け部２１１ｂが足体１１２に嵌合することで同足体１１２にコロ２０１が回転自在な状態で取り付けられる。
【００４６】
（机１００および脚端具２００の作動）
次に、このように構成した机１００および脚端具２００の作動について説明する。この机１００は、机としての通常使用状態においては、それぞれ２つずつの脚端具１１３および脚端具２００を介して床面Ｇ上に静止している。この場合、脚端具２００は、図６に示すように、ベース部２１５がコロ２０１の底面２０１ａを床面Ｇに接触させない厚さで形成されているため、机１００を床面Ｇ上に安定的に載置させることができる。
【００４７】
次に、机１００を移動させる場合においては、机１００を移動させる作業者は、机１００の後方側の一部を把持して脚端具２００を支点として机１００全体を傾斜させる。この場合、脚端具２００は、図７および図８にそれぞれ示すように、机１００が水平な床面Ｇに対して５°以上かつ２３°以下の範囲で傾けられることでコロ２０１の底面２０１ａが床面Ｇに接触するとともにベース部２１５が床面Ｇから離れて非接触状態となる。
【００４８】
これにより、机１００は、コロ２０１を支点として床面Ｇに対して５°以上かつ２３°以下の範囲で傾けられることで左右２つのコロ２０１のみによって床面Ｇ上に支持されてコロ２０１の転動によって床面Ｇ上を移動可能な状態となる。したがって、作業者は、コロ２０１のみによって床面Ｇ上に支持された机１００を机１００の前方側に押すまたは後方側に引くことで机１００を移動させることができる。
【００４９】
これらの机１００の傾倒作業時または移動作業時において、脚端具２００は、机１００が床面Ｇに対して５°未満となった場合にはベース部２１５が床面Ｇに接触してコロ２０１が床面Ｇから離れて非接触状態となるため、コロ２０１による移動が不可能な状態となる。また、これらの机１００の傾倒作業時または移動作業時において、脚端具２００は、机１００が床面Ｇに対して２３°を超える場合にはストッパ部２１４が床面Ｇに接触してコロ２０１が床面Ｇから離れて非接触状態となるため、コロ２０１による移動が不可能な状態となる。これにより、机１００の傾け過ぎによる机１００の前方への転倒を防止することができる。
【００５０】
そして、作業者は、机１００を適当な設置場所に移動させた場合には、机１００の脚端具１１３が床面Ｇ上に接触して載置されるように机１００の傾斜状態を解消させる。これにより、机１００は、脚端具２００におけるベース部２１５が床面Ｇに接触してコロ２０１が床面Ｇから離れて非接触状態となるため、それぞれ２つずつの脚端具１１３および脚端具２００を介して床面Ｇ上に静止する状態に復帰する。
【００５１】
また、脚端具２００が老朽または損傷した場合には、作業者は脚端具２００を取り換えることができる。具体的には、作業者は、脚端具２００における引掛け部２１１ｂの足体１１２への引っ掛かり状態を解消させた状態で脚端具２００を足体１１２の先端部から引き抜くことで脚端具２００を足体１１２から取り外すことができる。そして、作業者は、上記した脚端具２００の取り付け作業と同じ手順で新しい脚端具２００を足体１１２の先端部に取り付けることができる。この場合、作業者は、脚端具２００の全体を新品に交換してもよいが、脚端具２００におけるコロ２０１およびハウジング２１０のうちの一方を新品に交換しつつ他方を再度使用することもできる。
【００５２】
上記作動説明からも理解できるように、上記実施形態によれば、床面Ｇに接地して転動可能な状態のコロ２０１を支点として机１００を傾けた際に、この傾けた状態の机１００の重心Ｏがコロ２０１の鉛直方向に延びる鉛直線Ｌを超えない範囲内で床面に対して非接触状態から接触状態となって机１００の傾けの抵抗となるストッパ部２１４を備えているため、机１００の傾け過ぎによる転倒を防止することができ机１００の移動作業を容易することができる。
【００５３】
さらに、本発明の実施にあたっては、上記実施形態に限定されるものではなく、本発明の目的を逸脱しない限りにおいて種々の変更が可能である。
【００５４】
例えば、上記実施形態においては、ストッパ部２１４は、床面Ｇとの接触位置からコロ２０１の外表面よりも外側に張り出す曲面形状に形成されている。これにより、脚端具２００は、机１００を傾けた際におけるストッパ部２１４による抵抗が急に発生することおよびその反動が強く発生することを抑えることができる。また、脚端具２００によれば、机１００を傾け過ぎた場合においてもストッパ部２１４が床面Ｇ上に乗り上げることでコロ２０１が床面Ｇ上から離れるため、机１００を傾け過ぎた場合にコロ２０１が床面Ｇ上で回動して机１００が倒れ易くなることを防止することができる。しかし、ストッパ部２１４は、曲面以外の形状、例えば、平面的な傾斜面または凸状の突起で構成することもできる。
【００５５】
また、上記実施形態においては、脚端具２００は、机１００の通常の使用状態においてコロ２０１が床面Ｇから離隔するようにベース部２１５をコロ２０１の底面２０１ａよりも張り出して形成した。しかし、脚端具２００は、机１００の通常の使用状態においてコロ２０１が床面Ｇに接触するようにベース部２１５をコロ２０１の底面２０１ａと面一に形成することもできる。
【００５６】
また、上記実施形態においては、脚端具２００は、ハウジング２１０に脚挿し込み部２１１内にコロ２０１における車軸２０２を支持しつつ足体１１２の先端部に車軸２０２を押し付ける車軸押付け部２１３を備えて構成した。これにより、脚端具２００は、机１００を傾けた際における机１００の荷重をコロ２０１が直接受けることができハウジング２１０が損傷することを防止することができる。また、脚端具２００によれば、ハウジング２１０に対してハウジング２１０が机１００の足体１１２から抜ける方向の力を受けた場合においても机１００の荷重が加わった状態でハウジング２１０とコロ２０１とが一体的に机１００の足体１１２から抜けることが防止されるため、机１００の足体１１２から抜けようとする際におけるハウジング２１０および／またはコロ２０１の損傷を防止できるとともに、コロ２０１が机１００の足体１１２から外れたことによって机１００が不安定になることを防止することができる。しかし、脚端具２００は、車軸押付け部２１３が単独で車軸２０２を着脱自在または着脱不能な状態で保持するように構成することもできる。
【００５７】
また、上記実施形態においては、ハウジング２１０は、コロ２０１の底面２０１ａおよび側面２０１ｂをそれぞれ露出するように構成した。しかし、ハウジング２１０は、コロ２０１における少なくとも底面２０１ａを露出させるように構成されていればよい。したがって、ハウジング２１０は、例えば、コロ２０１における少なくとも底面２０１ａを露出させつつコロ２０１の側面２０１ｂを覆うように構成することもできる。
【００５８】
また、上記実施形態においては、机１００は、脚部１１０が床面Ｇに対して平行に延びる足体１１２を備えて構成した。しかし、脚部１１０は、机１００を床面Ｇ上で安定的に支持するように構成されていればよい。したがって、脚部１１０は、例えば、天板１０１の下面の四隅から鉛直下向きに延びる４つの棒状体で構成することもできる。この場合、４つの棒状体は、それぞれ高さ調整具１１６などを備えて伸縮自在に構成してもよいし、長さが固定の１つの棒状体で構成、すなわち、高さ調整具を省略して構成することもできる。そして、この棒状体からなる脚部１１０の下端部に脚端具２００が取り付けられるように構成することもできる。
【００５９】
また、上記実施形態においては、机１００は、小学校や中学校などの教育施設などにおいて使用する学習机をとしたが、学習机以外の机、例えば、教卓、家庭用学習机、事務机または食卓としても実施可能である。また、本発明は、机以外の家具、例えば、椅子、コロの付いた収納具、箪笥または棚などの各種什器に適用することができる。
【符号の説明】
【００６０】
Ｇ…床面、Ｏ…机の重心、Ｌ…鉛直線、
１００…机、１０１…天板、１０２…収納部、１０３…Ｕ字支持部材、
１１０…脚部、１１１…上側支持脚、１１１ａ…係合凹部、１１２…足体、１１２ａ…車軸保持部、１１２ｂ…コロ逃げ部、１１３…脚端具、１１４…下側支持脚、１１５…連結棒、１１６…高さ調整具、
２００…脚端具、２０１…コロ、２０１ａ…底面、２０１ｂ…側面、２０２…車軸、
２１０…ハウジング、２１１…脚挿し込み部、２１１ａ…挿し込み口、２１１ｂ…引掛け部、２１１ｃ…コロ露出部、２１２…脚部嵌合部、２１３…車軸押付け部、２１４…ストッパ部、２１５…ベース部。
【図１】
2020025701.tif 000003
【図２】
2020025701.tif 000004
【図３】
2020025701.tif 000005
【図４】
2020025701.tif 000006
【図５】
2020025701.tif 000007
【図６】
2020025701.tif 000008
【図７】
2020025701.tif 000009
【図８】
2020025701.tif 000010